(57)【特許請求の範囲】
【請求項１】
過電流が流れた時に垂下するヒューズ筒を、内部に備える円筒形カットアウトの下部カバーであって、
ヒューズ筒受部と、
前記ヒューズ筒受部の周囲に設けられた固定部と、
前記ヒューズ筒受部と前記固定部の間に設けられていて、前記ヒューズ筒受部に前記ヒューズ筒があたると、前記ヒューズ筒受部を下方に移動させる可動部と
を備え、
前記ヒューズ筒受部は、略円板状の底部と、円筒上の周辺部とを備えており、
前記可動部が、前記固定部の下端部と、前記周辺部の上端部とを接続する
ことを特徴とする円筒形カットアウト用下部カバー。
【請求項２】
前記固定部は、円筒形状であり、表面に当該固定部と同心に形成されたリング状の凸部を有する
ことを特徴とする請求項１に記載の円筒形カットアウト用下部カバー。
【請求項３】
当該下部カバーの材質がシリコーンゴムである     
ことを特徴とする請求項１又は２に記載の円筒形カットアウト用下部カバー。
【請求項４】
下部に開口を有する円筒形カットアウト本体部と、
前記開口を塞ぐ下部カバーと
を備える円筒形カットアウトであって、
前記下部カバーが、請求項１〜３のいずれか一項に記載した円筒形カットアウト用下部カバーである
ことを特徴とする円筒形カットアウト。
【発明の詳細な説明】
【技術分野】
【０００１】
この発明は、特に、塩害を軽減するのに好適な円筒形カットアウト用下部カバーと、この下部カバーを備える円筒形カットアウトに関するものである。
【背景技術】
【０００２】
従来の円筒形カットアウト（ＣＦ遮断器とも称する。）には、汚損粒子等の侵入を防ぐために下部カバーと下部カバー蓋が設けられている。また、蓋が外れた時の落下を防ぐために、下部カバー蓋は、下部カバー等にロープで連結されている（例えば、特許文献１参照）。
【０００３】
円筒形カットアウト内には、ヒューズ筒が設けられていて、過電流が流れた場合は、ヒューズ筒内のヒューズが溶断する。ヒューズが溶断すると、それに伴い、ヒューズ筒が当該筒内に備えるコイルばねにより垂下する。
【０００４】
垂下したヒューズ筒が下部カバー蓋にあたると下部カバー蓋が外れて、ロープにより吊り下げられた状態となる。すなわち、この下部カバー蓋は、ヒューズの溶断をＣＦ遮断器の外部から視認可能にする役目を持つ。
【０００５】
この円筒形カットアウトは、塩害地域でも使用されている。
【先行技術文献】
【特許文献】
【０００６】
【特許文献１】特開平０９−２８２９９８号公報（段落０００２）
【発明の概要】
【発明が解決しようとする課題】
【０００７】
しかしながら、上述の従来の下部カバー及び下部カバー蓋には、特に塩害地域で用いるにあたり改善すべき点がある。
【０００８】
先ず、下部カバー蓋がヒューズの溶断を外部から視認可能にする役目を持つことから、簡単に外れる構造となっているため、下部カバー蓋が風などで外れやすい点が挙げられる。下部カバー蓋が外れると、内部が塩害を受け急激に絶縁性能を失う。その結果として、漏れ電流による発熱がＣＦ遮断器本体のひび割れを招いたり、リード線を流れる漏れ電流によるトラッキングが発生したりする。
【０００９】
また、一般に、下部カバー蓋が外れた時の落下を防ぐために、ロープが用いられるが、塩分で汚損されたロープは電流を流しやすい。このため、ロープが溶断して下部カバー蓋がなくなっているものも多い。
【００１０】
さらに、下部カバーと下部カバー蓋とで、ＣＦ遮断器内を密閉することが難しいことも挙げられる。密閉が十分でないと、下部カバー蓋が外れていない状態でも、塩分が、下部カバーと下部カバー蓋との隙間から、ＣＦ遮断器内に侵入し、徐々に漏れ電流が増加する。この結果、下部カバー蓋が外れた場合と同様、ひび割れやトラッキングが発生する場合がある。
【００１１】
また、下部カバーをポリエチレン樹脂で形成し、接着剤でＣＦ遮断器に取り付ける場合、接着剤の劣化が漏れ電流増加の原因になることもある。
【００１２】
劣化の進行を抑えるために、ＣＦ遮断器の取り付け部に中間支持碍子を取り付け、絶縁の強化を行うことも考えられるが、その場合、漏れ電流が変圧器に向かって流れるようになり、変圧器のリードの劣化を早めることになる。
【００１３】
この発明は、上述の問題点に鑑みてなされたものであり、この発明の目的は、ヒューズが溶断した場合にヒューズの溶断をＣＦ遮断器の外部から視認可能な円筒形カットアウト用下部カバーであって、円筒形カットアウトの密閉度を高め、円筒形カットアウト内部の塩分の汚損を抑制する下部カバーと、この下部カバーを備える円筒形カットアウトを提供することにある。
【課題を解決するための手段】
【００１４】
上述した目的を達成するために、この発明の円筒形カットアウト用下部カバーは、ヒューズ筒受部と、ヒューズ筒受部の周囲に設けられた固定部と、ヒューズ筒受部と固定部の間に設けられていて、ヒューズ筒受部にヒューズ筒があたると、ヒューズ筒受部を下方に移動させる可動部とを備えて構成される。
【００１５】
また、この発明の円筒形カットアウトは、過電流が流れた時に垂下するヒューズ筒を内部に備えており、下部に開口を有する円筒形カットアウト本体部と、上述の下部カバーとを備えて構成される。
【発明の効果】
【００１６】
この発明の円筒形カットアウト用下部カバー及びこの下部カバーを備える円筒形カットアウトによれば、ヒューズ筒受部の下方への移動により、ヒューズが溶断した場合に視認可能である。
【００１７】
また、下部カバーと下部カバー蓋とが一体に構成されているので、内部の塩分による汚損を抑制することができる。
【図面の簡単な説明】
【００１８】
【図１】この発明の円筒形カットアウト用下部カバーの模式図である。
【図２】この発明の円筒形カットアウト用下部カバーを取り付けたＣＦ遮断器の模式図である。
【図３】円筒形カットアウト用下部カバーの動作を説明するための模式図である。
【発明を実施するための形態】
【００１９】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。なお、断面を示すハッチングは省略されることもある。
【００２０】
図１〜３を参照して、この発明の円筒形カットアウト用下部カバーと円筒形カットアウトについて説明する。図１は、この発明の円筒形カットアウト用下部カバーの模式図である。図１（Ａ）は鉛直面で切ったときの切断端面を示す図である。図１（Ｂ）は、斜め上方からみたときの斜視図であり、図１（Ｃ）は、斜め下方からみたときの斜視図である。図２は、この発明の円筒形カットアウト用下部カバーを取り付けたＣＦ遮断器の模式図である。図３は、円筒形カットアウト用下部カバーの動作を説明するための模式図である。図３（Ａ）は、ヒューズが溶断していない通常状態（初期状態）を示し、図３（Ｂ）は、ヒューズが溶断した状態を示している。
【００２１】
この発明の円筒形カットアウト用下部カバー（以下、下部カバーと称することもある。）１０は、一般に用いられている円筒形カットアウト（ＣＦ遮断器）の下部カバーとして用いられる。下部カバー１０は、ヒューズ筒受部２０と、固定部３０と、可動部４０とを備えて構成される。なお、下部カバー１０は、シリコーンゴム、ブチルゴム、天然ゴム、エチレンプロピレンゴム（ＥＰゴム）など、任意好適な、柔軟性を有する材質で形成されているのが良い。
【００２２】
ヒューズ筒受部２０は、例えば、略円板状の底部２２と、円筒状の周辺部２４とを備えて構成される。すなわち、この実施形態では、ヒューズ筒受部２０は、上側に開口を有する容器状に構成される。下部カバー１０は、容器状のヒューズ筒受部２０内に、ヒューズ筒２００が収容されるようにＣＦ遮断器１００に取り付けられる。ヒューズが溶断していない時、すなわち通常時は、ヒューズ筒２００は、下部カバー１０、特にヒューズ筒受部２０の底部２２とは離間している。
【００２３】
固定部３０は、ＣＦ遮断器１００に下部カバー１０を固定する機能を果たす部分である。固定部３０は、ヒューズ筒受部２０の周囲、特に容器状に構成されたヒューズ筒受部２０の側面２４ａを囲む位置に設けられている。下方からＣＦ遮断器１００の内部への塩分の侵入を抑制するためは、固定部３０は、ＣＦ遮断器１００の下方の開口に嵌合する形状であるのが良い。すなわち、ＣＦ遮断器１００が、下部に円筒状の開口を有している場合、固定部３０は、この開口の内径と略同じかそれ以上の外径を持つ円筒状の部分を有しているのが良い。下部カバー１０がシリコーンゴムなど柔軟性を有する材料で構成されている場合、固定部３０が、開口の内径とほぼ同じかそれ以上の外径を持つ円筒状の部分を有する構成にすれば、他に接着剤等の固定手段を用いることなく、下部カバー１０をＣＦ遮断器１００の開口に挿入するだけで固定できる。
【００２４】
また、下部カバー１０を取り付けるＣＦ遮断器１００の開口の内壁面に一周にわたり凹部１１０を設けておき、固定部３０の外側表面に、一周にわたり凸部３２を設けるのがよい。この凹部１１０と凸部３２が嵌合する形状で形成されていれば、ＣＦ遮断器１００に対して、下部カバー１０をより確実に固定することができるとともに、密閉性を向上させることができる。
【００２５】
上述した下部カバー１０によれば、接着剤を用いずに、ＣＦ遮断器１００に下部カバー１０が取り付けられるので、接着剤の劣化による漏れ電流の増加が起こらない。
【００２６】
また、この構成例では、下部カバー１０のヒューズ筒受部２０の底部２２に平行な面で切ったときの断面では、ＣＦ遮断器１００の開口、下部カバー１０の固定部３０、及び、下部カバー１０のヒューズ筒受部２２の周辺部２４が、同心円となるように設定される。
【００２７】
なお、ヒューズの交換等の作業を行う場合は、下部カバー１０を取り外し、再度、取り付ける工程が行われる。従って、凹部１１０の深さ及び凸部３２の高さなどの大きさや形状は、下部カバー１０の開口への挿入及び取り出しの容易性や、挿入後の固定の具合に応じて好適に設定すればよい。また、凹部１１０や凸部３２は、一周のみに限られず、複数設けられても良い。図１〜３では、凹部１１０及び凸部３２がそれぞれ２つ設けられている。
【００２８】
可動部４０は、ヒューズ筒受部２０と固定部３０の間に、両者に接続されて設けられている。ヒューズが溶断すると、ヒューズ筒２００が垂下し、その結果、ヒューズ筒２００がヒューズ筒受部２０の底部２２にあたる。ヒューズ筒受部２０にヒューズ筒２００があたると、可動部４０は、ヒューズ筒受部２０を下方に移動させる。
【００２９】
なお、密閉性を維持するために、下部カバー１０は、一体として構成され、ヒューズ筒受部２０と可動部４０の間、及び、固定部３０と可動部４０の間は、隙間や開口等が無く連続的に接続されているのが良い。可動部４０が、ヒューズ筒受部２０と固定部４０と接続される部分を接続部４２とも称する。
【００３０】
接続部４２の形状や厚みは、下部カバー１０を構成する材質の柔軟性、ヒューズ筒受部２０の重さなどにより設定される。すなわち、ヒューズ筒２００がヒューズ筒受部２０にあたるまでは、下部カバー１０が初期の形状を維持し（図３（Ａ）参照）、ヒューズ筒２００がヒューズ筒受部２０にあたった時点で、ヒューズ筒受部２０が下方に移動する（図３（Ｂ）参照）ように厚み等が設定される。
【００３１】
ここで、可動部４０は、固定部３０の下端部と、周辺部２４の上端部とを接続する構成、すなわち、蛇腹構造とするのが良い。このように構成すると、ヒューズが溶断していない初期状態では、下部カバー１０のヒューズ筒受部２０が固定部４０の下端部と同じか、それより高い位置に配置される。一方、ヒューズが溶断すると、下部カバー１０のヒューズ筒受部２０は、固定部４０の下端部よりも下方に突出する。この結果、ヒューズ溶断の有無がＣＦ遮断器１００の外部から、容易に視認することができる。
【００３２】
なお、ここでは、固定部３０、可動部４０及びヒューズ筒受部２０とで一段の蛇腹構造とした例を示しているが、これに限定されない。可動部４０を蛇腹構造で構成するなど、全体として二段以上の蛇腹構造であっても良い。ヒューズ筒の大きさや重さ、ＣＦ遮断器の開口の大きさ、などに応じて好適な形状にすればよい。
【００３３】
ここで、下部カバーは、上述のように柔軟性を有する材質で形成されるのが良いが、特に、シリコーンゴムを用いるのが好ましい。
【００３４】
これは、シリコーンゴムが、カーボンをほとんど含有していないことから、表面に電流が流れてもトラッキングは起こりにくいためである。また、シリコーンゴムは撥水性が高いため、絶縁性能も優れている。
【符号の説明】
【００３５】
１０    円筒形カットアウト用下部カバー（下部カバー）
２０    ヒューズ筒受部    
２２    底部
２４    周辺部
３０    固定部
４０    可動部
４２    接続部
１００    ＣＦ遮断器
２００    ヒューズ筒
【要約】
【課題】ヒューズが溶断した場合に視認可能な円筒形カットアウト用下部カバーであって、円筒形カットアウトの密閉度を高め、円筒形カットアウト内部の塩分の汚損を抑制する下部カバーと、この下部カバーを備える円筒形カットアウトを提供する。
【解決手段】円筒形カットアウト用下部カバー１０は、ヒューズ筒受部２０と、ヒューズ筒受部の周囲に設けられた固定部３０と、ヒューズ筒受部と固定部の間に設けられていて、ヒューズ筒受部にヒューズ筒があたると、ヒューズ筒受部を下方に移動させる可動部４０とを備えて構成される。また、円筒形カットアウトは、過電流が流れた時に垂下するヒューズ筒を内部に備えており、下部に開口を有する円筒形カットアウト本体部と、上述の下部カバーとを備えて構成される。
【選択図】図１【図１】
0005437467.tif 000002
【図２】
0005437467.tif 000003
【図３】
0005437467.tif 000004